(57)【要約】【課題】健康器具として短時間のみ安価で簡単に使用できる加温機能付きのマイナスイオン発生手段の要望。【解決手段】固定手段１２がサンゴ１１を固定し、吸湿性の厚手クッション材１３ａが上記の固定手段１２に固定されたサンゴ１１の一面又は全面を覆う。電気ヒータ１４が上記の固定手段１２上のサンゴ１１に平行して設けられ、マット内装物収納カバー１５が上記のサンゴ１１，固定手段１２，クッション材１３と電気ヒーター１４の全てを覆う。厚手クッション材１３ａ（敷きマット）に代えての薄手クッション材１３ｂを用いると、掛けマットになる。サンゴ１１は、格子状配置サンゴ砂／粉末１１ｂ、サンゴ塊タイル１１ｃ、サンゴ砂／粉末タイル１１ｄを、それぞれに用いことが可能。【選択図】　図１
2004113327.tif 000002
【特許請求の範囲】
【請求項１】
サンゴ砂／粉末、該サンゴ砂／粉末を格子形状の空間に配置した状態でその上下から格子袋状に固定する格子状配置固定手段、該格子状配置固定手段に固定された格子状配置のサンゴ砂／粉末の一面側又は全面側を覆う綿などの通気性のある吸湿性で独自または上記の格子状配置固定手段と兼用の厚手クッション材、上記の格子状配置固定手段上のサンゴ砂／粉末タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り敷きマット。
【請求項２】
サンゴ砂／粉末、該サンゴ砂／粉末を格子形状の空間に配置した状態でその上下から格子袋状に固定する格子状配置固定手段、該格子状配置固定手段に固定された格子状配置のサンゴ砂／粉末の一面側又は全面側を覆う綿などの通気性のある吸湿性で独自または上記の格子状配置固定手段と兼用の薄手クッション材、上記の格子状配置固定手段上のサンゴ砂／粉末タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り敷きマット。
【請求項３】
一般に山サンゴと言われるものでサンゴが石灰石化する前のサンゴ塊をタイル状に切断したサンゴ塊タイル、該サンゴ塊タイルを平面状に並べて且つタイル間が屈折可能に固定したタイル固定手段、該タイル固定手段に固定されたサンゴ塊タイル群の一面又は全面を覆う綿などの通気性のある吸湿性の厚手クッション材、上記のタイル固定手段上のサンゴ塊タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り敷きマット。
【請求項４】
サンゴ砂／粉末をセメントや接着剤などの接着固化材に混入してタイル状に成形固化したサンゴ砂／粉末タイル、該サンゴ砂／粉末タイルを平面状に並べて且つタイル間が屈折可能に固定したタイル固定手段、該タイル固定手段に固定されたサンゴ砂／粉末タイル群の一面又は全面を覆う綿などの通気性のある吸湿性の厚手クッション材、上記のタイル固定手段上のサンゴ砂／粉末タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り敷きマット。
【請求項５】
一般に山サンゴと言われるものでサンゴが石灰石化する前のサンゴ塊をタイル状に切断したサンゴ塊タイル、該サンゴ塊タイルを平面状に並べて且つタイル間が屈折可能に固定したタイル固定手段、該タイル固定手段に固定されたサンゴ塊タイル群の一面又は全面を覆う綿などの通気性のある吸湿性の薄手クッション材、上記のタイル固定手段上のサンゴ塊タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り掛けマット。
【請求項６】
サンゴ砂／粉末をセメントや接着剤などの接着固化材に混入してタイル状に成形固化したサンゴ砂／粉末タイル、該サンゴ砂／粉末タイルを平面状に並べて且つタイル間が屈折可能に固定したタイル固定手段、該タイル固定手段に固定されたサンゴ砂／粉末タイル群の一面又は全面を覆う綿などの通気性のある吸湿性の薄手クッション材、上記のタイル固定手段上のサンゴ砂／粉末タイル群の面に平行して設けられたカーボンや金属箔面状ヒーター等の電気ヒーター、以上の構成物を覆う通気性のよいマット内装物収納カバー、より構成されることを特徴としたマイナスイオン発生用サンゴ使用のクッション材入り掛けマット。
【発明の詳細な説明】
【０００１】
【発明の属する技術分野】
本発明は、広くはクッション材入り敷きマットと掛けマットに関するものであり、特にサンゴを使用してマイナスイオンを発生させるクッション材入り敷きマットと掛けマットに関するものである。就中、身体の全身加温や部分加温も可能で血管を広げて血行増進にも役立つ健康保持用のクッション材入り敷きマットと掛けマットに関するものである。
【０００２】
【従来の技術】
マイナスイオンは、自然界では滝のしぶきや山林等に多く発生し、人間の精神を穏やかにして健康によいことはよく知られれている。特に、このマイナスイオンは、安眠や休息に大いに役立つものとなっている。このマイナスイオンを応用しようとアルカリ水を利用する器具がちまたに多く出回っている。サンゴやトルマリンを用いた器具もその一つである。
【０００３】
【発明が解決しようとする課題】
マイナスイオンを発生させるものは多く考えられているが、その殆どは大がかりなものか非常に高価なものであった。あるいは、マイナスイオンが発生するにはするが、その効果が非常に少ないものもある。一方、サンゴを布団に応用して安眠をはかるものもある。
【０００４】
サンゴを布団に応用するものは、それで一晩中使用するのであるからそれなりに大変よい。しかし、これを健康器具として短時間のみ使用する場合には、冬季の寒中時には血管が縮んでしまいその対策が必要となる。また、布団のように大がかりなものでなく、ソファーの上にのせるクッションとか事務仕事用の椅子用マット／クッションのごとき簡単なものに応用する要望もある。さらには、夏期の冷房の効いた部屋での事務仕事などするものに対するとか、あるいは冬季に冷え性の者に対するひざ掛けとか肩掛けのように簡単に使用できるものの要望も強い。
【０００５】
【課題を解決するための手段】
サンゴは自然の状態においてもマイナスイオンを発生させるが、その状態での発生量は非常に微少なものである。しかし、このサンゴを水に接触させ振動等の動きのある機械的な外力を与えるとそのマイナスイオンの発生率が驚くほどに向上することが分かった。それで、本願発明は、この技術を応用したものである。また、サンゴ砂／粉末を布団の繊維に混入するには特別な技術が必要となるゆえに、それを避けた簡単な手段が要求されるゆえ、サンゴの簡単な固定化を図りこれを解決したものである。
【０００６】
本発明にかかるマイナスイオン発生用サンゴ使用のクッション材入り敷きマットと掛けマットは、以上の課題を解決するために、身体から発生する汗等の水分を吸収する吸湿性クッション材を利用したものである。そして、この吸湿性クッション材に含まれる水分をその格子状配置のサンゴ砂／粉末やサンゴタイル材に作用させるようにしたものである。その上に、このマットを使用する者の身体の動きをそのサンゴへの外力として利用したものである。そして、そのサンゴは、第１にはサンゴ砂／粉末を格子状配置の固定手段の袋状の各部屋に閉じ込めるようにしたものである。また、他のやり方として、加工その他の取り扱いの容易なタイル状のものとした。そして、そのマット使用者の寝返りその他の身体の動きをその外力として、その格子状配置のサンゴ砂／粉末やサンゴタイルに与えるようにして、マイナスイオンの発生をはかったものとした。
【０００７】
一方、そのクッション材を厚手のものと薄手のものとの２通りのものを分けて使用した。このことにより、厚手のものは身体をその上に横たえたり、ソファーにのせ腰や背中を支えるクッションとして用いるものとした。そして、薄手のものはその身体の上に掛けたり、ひざ掛けや肩掛け等身体を覆うことのできるものとした。
【０００８】
以下に、本発明にかかるマイナスイオン発生用サンゴ使用のクッション材入り敷きマットと掛けマットの具体的な構成を詳細に記載する。最初に、本発明の請求項１に記載した発明のマイナスイオン発生用サンゴ使用のクッション材入り敷きマットの構成を説明する。この発明は、まず、サンゴ砂／粉末がある。つぎに、格子状配置タイル固定手段がある。この格子状配置固定手段は、上記のサンゴ砂／粉末を格子形状の空間に配置した状態でその上下から格子袋状に固定するものである。
【０００９】
そして、綿などの通気性のある吸湿性の厚手クッション材がある。この綿などの通気性のある吸湿性の厚手クッション材は、上記の格子状配置固定手段に固定された格子状配置サンゴ砂／粉末の一面側又は全面側を覆うものである。なお、このクッション材は、これ自身独自のものとしても成り立つが、上記の格子状配置固定手段と兼用のものとしてもよい。さらに、カーボンや金属箔面状ヒーター等の電気ヒーターがある。この電気ヒーターは、上記の格子状配置固定手段上の格子状に配置のサンゴ砂／粉末に平行して設けられたものである。最後に、通気性のよいマット内装物収納カバーがある。この通気性のよいマット内装物収納カバーは、以上の構成物を覆うものである。
【００１０】
つぎに、本発明にかかるマイナスイオン発生用サンゴ使用のクッション材入り敷きマットと掛けマットの請求項２に記載した発明のマイナスイオン発生用サンゴ使用のクッション材入り敷きマットの構成を説明する。この発明は、以下の点以外は上記の請求項１の発明の構成と同一である。それゆえに、上記の請求項３の発明の構成の説明の全文をここに援用して、以下の構成の説明をこれに追加する。この発明と上記の請求項１の発明の構成との差異は、上記の厚手クッション材に代えて薄手クッション材を使用していることである。
【００１１】
そして、本発明の請求項３に記載した発明のマイナスイオン発生用サンゴ使用のクッション材入り敷きマットの構成を説明する。この発明は、まず、サンゴ塊タイルがある。このサンゴ塊タイルは、一般に山サンゴと言われるものであって、サンゴ塊が石灰石化する前のサンゴ塊をタイル状に切断したものである。つぎに、タイル固定手段がある。このタイル固定手段は、上記のサンゴ塊タイルを平面状に並べて且つタイル間が屈折可能に固定したものである。
【００１２】
さらに、綿などの通気性のある吸湿性の厚手クッション材がある。この綿などの通気性のある吸湿性の厚手クッション材は、上記のタイル固定手段に固定されたサンゴ塊タイル群の一面又は全面を覆うものである。そして、カーボンや金属箔面状ヒーター等の電気ヒーターがある。この電気ヒーターは、上記のタイル固定手段上のサンゴ塊タイル群の面に平行して設けられたものである。最後に、通気性のよいマット内装物収納カバーがある。この通気性のよいマット内装物収納カバーは、以上の構成物を覆うものである。
【００１３】
つぎに、本発明にかかるマイナスイオン発生用サンゴ使用のクッション材入り敷きマットと掛けマットの請求項４に記載した発明のマイナスイオン発生用サンゴ使用のクッション材入り敷きマットの構成を説明する。この発明は、以下の点以外は上記の請求項３の発明の構成と同一である。それゆえに、上記の請求項３の発明の構成の説明の全文をここに援用して、以下の構成の説明をこれに追加する。この発明と上記の請求項３の発明の構成との差異は、上記のサンゴ塊タイルに代えるサンゴ砂／粉末タイルの存在である。このサンゴ砂／粉末タイルは、サンゴ砂／粉末をセメントや接着剤などのサンゴ砂／粉末を接着して自ら固化する接着固化材に混入してタイル状に成形固化したものである。
【００１４】
さらに、本発明にかかるマイナスイオン発生用サンゴ使用のクッション材入り敷きマットと掛けマットの請求項５に記載した発明のマイナスイオン発生用サンゴ使用のクッション材入り掛けマットの構成を説明する。この発明は、以下の点以外は上記の請求項３の発明の構成と同一である。それゆえに、上記の請求項３の発明の構成の説明の全文をここに援用して、以下の構成の説明をこれに追加する。この発明と上記の請求項３の発明の構成との差異は、上記の厚手クッション材に代えて薄手クッション材を使用していることである。
【００１５】
最後に、本発明にかかるマイナスイオン発生用サンゴ使用のクッション材入り敷きマットと掛けマットの請求項６に記載した発明のマイナスイオン発生用サンゴ使用のクッション材入り掛けマットの構成を説明する。この発明は、以下の点以外は上記の請求項３の発明の構成と同一である。それゆえに、上記の請求項４の発明の構成の説明の全文をここに援用して、以下の構成の説明をこれに追加する。この発明と上記の請求項４の発明の構成との差異は、上記の厚手クッション材に代えて薄手クッション材を使用していることである。
【００１６】
【発明の実施の形態】
以下に、本発明にかかるマイナスイオン発生用サンゴ使用のクッション材入り敷きマットと掛けマットの一般的な実施の形態を述べる。まず、マイナスイオン発生用のサンゴ砂／粉末を格子状に配置した格子状配置サンゴ砂／粉末がある。つぎに、固定手段が、格子状配置固定手段となるゆえに、格子状に配置された上記の格子状配置サンゴ砂／粉末を容易に格子状に固定する。
【００１７】
しかして、上記の格子状配置サンゴ砂／粉末にかえて、サンゴ塊をタイル状に切断したサンゴ塊タイルがあり、このサンゴ塊タイルを平面状に並べて且つタイル間が屈折可能に固定したシートやテープ状などのタイル固定手段がある。そして、通気性のよい吸湿性の厚手クッション材１３があり、上記のタイル固定手段に固定されたサンゴ塊タイルの集合体の一面又は全面を覆いタイルの堅さを吸収して弾力性を与える一方、これらのサンゴに安定した湿気を補給をする。なお、この厚手クッション材に代えての薄手クッション材を用いると、掛けマットになる。
【００１８】
さらに、電気ヒーターが、上記の固定手段上のサンゴに平行して設けられ、冬季時の使用における加温をする。最後に、マット内装物収納カバーが、以上の構成物を覆う通気性のよいカバーとなり、マイナスイオンの放出を許容する。しかして、上記のサンゴ塊タイルに代えて、サンゴ砂／粉末タイルを用いてもよい。このサンゴ砂／粉末タイルは、サンゴ砂／粉末を接着して自ら固化する接着固化材に、サンゴ砂／粉末を混入してタイル状に成形固化したもので、バラバラに成りやすい砂を容易に固定化したものである。なお、このサンゴ砂／粉末は、サンゴが砕けて砂粒状になったものである。
【００１９】
【実施例】
しかして、本発明にかかるマイナスイオン発生用サンゴ使用のクッション材入り敷きマットと掛けマットをその具体的な実施例を用いて添付の図面と共に詳細に述べる。この発明は、サンゴ１１を使用するものである。その第１の実施例では、図１に示すそのマット１０の一部省略断面図のごとくに、格子形状の空間にサンゴ砂／粉末１１ａを配置した格子状配置サンゴ砂／粉末１１ｂがある。つぎに、固定手段１２がある。この固定手段１２は、この実施例においては格子状配置固定手段１２ａとなる。この格子状配置固定手段１２ａはその固定部分を格子状に配置したものであって、上記の格子状配置サンゴ砂／粉末１１ｂを上下から格子袋状に固定するものである。なお、この格子状配置固定手段１２ａは全ての実施例において不織布にしたが、布などの通気性のあるシートならなんでもよい。しかして、この格子状配置固定手段１２ａを形成する上下のシートの固定部（格子部分）１２ｃの結合は、ミシンによる縫合や接着座による接着や材質によっては溶着等も考えられる。
【００２０】
そして、布団綿やベッドのマットレスのクッション材などの通気性のよい吸湿性クッション材１３のうちの厚手クッション材１３ａ（図２のＡをも参照）がある。この綿やマットレスのクッション材などの通気性のある吸湿性の厚手クッション材１３ａは、上記の格子状配置固定手段１２ａに固定された格子状配置サンゴ砂／粉末１１ｂの一面側又は全面側を覆うものである。しかして、上記の厚手クッション材１３ａは、これ自体が独自のものか、または上記の格子状配置固定手段１２ａと兼用のものとしてもよい。
【００２１】
なお、この通気性のよい吸湿性の厚手クッション材１３ａは、ソファーのクッションや椅子に腰掛けるときに腰に敷くマット／クッション程度の厚さと大きさのものも含まれる。しかして、この厚手クッション材１３ａに代えての薄手クッション材１３ｂ（図２のＢを参照）を用いると、掛けマットになり、ひざ掛け等にもなる。
【００２２】
しかして、この厚手クッション材１３ａと薄手クッション材１３ｂは、図２ではその一部のみを描いたが、この実施例ではそのクッション材１３ａ，１３ｂの全体に均一に及ぶものとした。ただし、この図のごとくに、そのクッション材１３の密度を点在させるなどにして、そのクッション度の強弱をそのクッション材１３に点在させてもよい。これにより、その使用者の身体に与える圧力が点在して、その身体の動きに伴いマッサージ効果が出るゆえに健康器具としての効果が高まる。特に、寝具と異なって、このマット１０の使用は短時間であるので、これに伴う不快感は生じない。
【００２３】
さらに、カーボンや金属箔面状ヒーター等の電気ヒーター１４がある。この電気ヒーター１４は、上記の格子状配置固定手段１２ａに平行して設けられたものである。
【００２４】
しかして、その第２の実施例では、上記のサンゴ１１において、サンゴ塊タイル１１ｃを用いた。そして、上記の固定手段１２に、タイル固定手段１２ｂを用いた。こうして、このタイル固定手段１２ｂが、上記のサンゴ塊タイル１１ｃの集合体の一面又は全面を覆うようにした。このサンゴ塊タイル１１ｃは、図３の斜視図のごとくにサンゴ塊をタイル状に切断したものである。このサンゴ塊は、一般に山サンゴと言われているものでサンゴの岩石状の塊であって、サンゴ岩石が石灰岩化する以前のものである。
【００２５】
この実施例の場合は、上記の固定手段は１２は、シートやテープ状などのタイル用固定手段１２ｂとなる。このタイル固定手段１２ｂは、上記のサンゴ塊タイル１１ｃを多数平面状に並べて、且つそのマット１０が屈折可能になるようにこのサンゴ塊タイル１１ｃの間隔をあけて固定したものである。
【００２６】
しかして、上記のサンゴ塊タイル１１ｃ（図３のＡを参照）に代えて、図３のＢに示すごとくのサンゴ砂／粉末タイル１１ｄを用いてもよい。このサンゴ砂／粉末タイル１１ｄは、セメントとか接着剤などのサンゴ砂／粉末を接着して自ら固化する接着固化材１１ｅに、サンゴ砂／粉末１１ａを混入してタイル状に成形固化したものである。なお、このサンゴ砂／粉末タイル１１ｄは、通気性のあるものにするとマイナスイオンの放出がよくなる。しかして、このサンゴ砂１１ｃは、珊瑚礁がある付近の砂浜やその付近の海底に多く見られるものである。
【００２７】
さらに、カーボンや金属箔面状ヒーター等の電気ヒーター１４がある。この電気ヒーター１４は、上記の固定手段１２上のサンゴ塊タイル１１の集合体の面に平行して設けられたものである。なお、この電気ヒーター１４は、これらの図面ではサンゴ１１の下方にかかれているが、この敷きマット１０の表裏はない。それゆえに、電気あんかのように、その両面の温度差を利用してその身体に当たる面を選択することができる。
【００２８】
最後に、通気性のよいマット内装物収納カバー１５がある。この通気性のよいマット内装物収納カバー１５は、以上の構成物である上記の格子状配置サンゴ砂／粉末１１ｂ（サンゴ塊タイル１１ｃ，サンゴ砂／粉末タイル１１ｄ），固定手段１２，クッション材１３と１３ａ，と電気ヒーター１４の全てをそれぞれに覆う布団がわのようなカバーである。なお、図２では、このマット内装物収納カバー１５は分かりやすくなるように厚く描いたが、実際は布程度の厚さのものである。また、図４において、特にそのＢにおいては、そのマット内装物収納カバー１５は図が分かりやすいようにその一部の模様を省略し、あるいはその一部のみ模様付けしたが、これもその部分の全体に及ぶものである。
【００２９】
【発明の効果】
本発明にかかるマイナスイオン発生用サンゴ使用のクッション材入り敷きマットと掛けマットは、以上のごとくになしたゆえに、上記の課題を解決して以下のごとき多大な効果が生じた。すなわち、本願発明のマットを利用することによって、休息とか昼寝時にこの敷きマットに横たわり、その者に十分なマイナスイオンを与えて、その身体と精神を安静にして休養させることができた。また、その掛けマットは、その横たわる身体の上に掛けるという利用方法ばかりでなく、ひざ掛けや肩掛けとか寒いときには身体の保温と健康保持をはかりながら事務仕事などの座り仕事ができるものとなった。さらに、この敷きマットは、ソファー上のクッションにも応用でき休息に役立ち、あるいは事務椅子用のマット／クッションとして腰に敷き座り仕事をしながら精神的にそして身体的な健康がはかれるものとなった。
【００３０】
かようにして、本願発明のマットは、冬季での短時間の使用においても、不快な冷たさを与えずに、サンゴによるマイナスイオン発生での健康維持に役立つ健康器具としての健康マットとなった。一方、その就寝前にこのマットを利用して休息して精神を安静にして、その後に就寝用のベッドに入り寝床につけば、その利用者の精神安定などができて、安らかな深い睡眠をとることができるものとなった。
【００３１】
さらに、このサンゴのマイナスイオン発生手段を布団に応用した場合には、その布団で寝る者のみしかそれを利用できないが、これは布団と異なり家族全体等の大勢の者か１個のマットを利用できるものとなった。それゆえに、このマットは、大変に経済的なものでもある。
【図面の簡単な説明】
【図１】本発明にかかるマイナスイオン発生用サンゴ使用のクッション材入りマットの一実施例の格子状配置サンゴ砂／粉末のものでその部分と格子状固定手段付近を示したものであって、そのＡはその側面の一部省略断面図でありそのＢはその縮小平面図である。
【図２】本発明にかかるマイナスイオン発生用サンゴ使用のクッション材入りマットの一実施例の側面の一部省略断面図を示したものであって、そのＡは敷きマットでありそのＢは掛けマットである。
【図３】図２の実施例のサンゴタイルの拡大斜視図であって、そのＡはサンゴ塊タイルでありそのＢはサンゴ砂／粉末タイルである。
【図４】本発明にかかるマイナスイオン発生用サンゴ使用のクッション材入りマットの一実施例の縮小斜視図を示したものであって、そのＡは敷きマットでありそのＢは掛けマットである。
【符号の説明】
１０　マット
１１　サンゴ
１１ａ　サンゴ砂／粉末
１１ｂ　格子状配置サンゴ砂／粉末
１１ｃ　サンゴ塊タイル
１１ｄ　サンゴ砂／粉末タイル
１１ｅ　接着固化材
１２　固定手段
１２ａ　格子状配置固定手段
１２ｂ　タイル固定手段
１２ｃ　固定部
１３　クッション材
１３ａ　厚手クッション材
１３ｂ　薄手クッション材
１４　電気ヒーター
１５　マット内装物収納カバー
【図１】
2004113327.tif 000003
【図２】
2004113327.tif 000004
【図３】
2004113327.tif 000005
【図４】
2004113327.tif 000006